【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
それぞれが少なくとも１つの光源を含む複数の光源グループと、
前記複数の光源グループから照射される光を導く導光板と
を備え、
前記導光板は、
第１方向に形成され、前記複数の光源グループが配置された第１溝と、
前記第１方向と異なる第２方向に形成された少なくとも１つの第２溝と
を有する、バックライトユニット。
【請求項２】
前記少なくとも１つの光源は複数個であり、前記複数個の光源グループのそれぞれにおいて、前記第２溝は、前記複数個の光源の間の領域と前記第２方向に重なる部分に形成されている、請求項１に記載のバックライトユニット。
【請求項３】
前記第２溝は、前記複数の光源グループの間の領域と前記第２方向に重なる部分に形成されている、請求項１又は２に記載のバックライトユニット。
【請求項４】
前記複数の光源グループのそれぞれは、
回路基板と、
前記回路基板上に形成された複数の光源と
を備える、請求項１乃至３のいずれかに記載のバックライトユニット。
【請求項５】
前記第２溝は、隣接する複数の光源グループのそれぞれの側端部に配置されている光源の間の領域と前記第２方向に重なる部分に形成されている、請求項１乃至４のいずれかに記載のバックライトユニット。
【請求項６】
前記第２溝は、隣接する複数の光源グループに含まれた回路基板の間の領域と前記第２方向に重なる部分に形成されている、請求項１乃至５のいずれかに記載のバックライトユニット。
【請求項７】
前記複数の光源グループは、
回路基板と、
前記回路基板上でローカルディミング単位別に区別される複数の光源と
を備える、請求項１乃至３のいずれかに記載のバックライトユニット。
【請求項８】
前記第２溝は、隣接する前記ローカルディミング単位のそれぞれの側端部に配置されている光源の間の領域と前記第２方向に重なる部分に形成されている、請求項１乃至３または７のいずれかに記載のバックライトユニット。
【請求項９】
前記複数の光源グループは、
複数のサブ回路基板と、
前記複数のサブ回路基板のそれぞれの上部に形成された複数の光源と
を備え、
前記複数のサブ回路基板は、メイン回路基板上に形成されている、請求項１乃至３のいずれかに記載のバックライトユニット。
【請求項１０】
前記第２溝は、隣接するサブ回路基板のそれぞれの側端部に配置される光源の間の領域と前記第２方向に重なる部分に形成されている、請求項１乃至３または９のいずれかに記載のバックライトユニット。
【請求項１１】
前記第２溝は、隣接するサブ回路基板の間の領域と前記第２方向に重なる部分に形成されている、請求項１乃至３または９乃至１０のいずれかに記載のバックライトユニット。
【請求項１２】
前記第２溝の幅対深さの比は３：１乃至２：１である、請求項１乃至３のいずれかに記載のバックライトユニット。
【請求項１３】
前記第２溝の幅は、５．３７５ｍｍ以下である、請求項１乃至３または１２のいずれかに記載のバックライトユニット。
【請求項１４】
前記第２溝の断面形状は、円形、楕円形または多角形である、請求項１乃至３または１２乃至１３のいずれかに記載のバックライトユニット。
【請求項１５】
前記第２溝の断面形状は円形であり、前記第２溝は、前記複数の光源グループから照射される光が前記第２方向に屈折するのに適した半径を有する、請求項１乃至３または１２乃至１４のいずれかに記載のバックライトユニット。
【請求項１６】
前記第２溝の断面形状は三角形であり、前記第２溝の中心角は３０゜以下である、請求項１乃至３または１２乃至１５のいずれかに記載のバックライトユニット。
【請求項１７】
前記第２溝は、変曲点を中心に互いに隣接する第１及び第２傾斜面を有する、請求項１乃至３または１２乃至１６のいずれかに記載のバックライトユニット。
【請求項１８】
前記第１傾斜面と前記第２傾斜面は、前記第２溝の内側に凹んで形成されている、請求項１７に記載のバックライトユニット。
【請求項１９】
前記第１傾斜面と前記第２傾斜面は、前記第２溝の内側に膨らんで形成されている、請求項１７に記載のバックライトユニット。
【請求項２０】
前記第１傾斜面と前記第２傾斜面は、前記複数の光源グループから照射される光が前記第２方向に屈折するのに適した曲率をそれぞれ有する、請求項１７に記載のバックライトユニット。
【請求項２１】
前記第１溝は、前記導光板の下部面に形成され、前記第２方向は、前記第１方向に垂直である、請求項１に記載のバックライトユニット。
【請求項２２】
前記導光板の前面に配置された光学部材をさらに備え、
前記第２方向は、前記光学部材に向かう方向と垂直である、請求項１または２１に記載のバックライトユニット。
【請求項２３】
前記導光板の下部に配置されたボトムカバーと、
前記光源グループを固定させ、前記ボトムカバーに付着されたブラケットと
をさらに備える、請求項１に記載のバックライトユニット。
【請求項２４】
前記複数の光源グループは、前記導光板の入光面と相対して配置されている、請求項１に記載のバックライトユニット。
【請求項２５】
前記少なくとも一つの第２溝は、前記導光板の入光面上に前記第２方向に配置されている、請求項２４に記載のバックライトユニット。
【請求項２６】
ディスプレイパネルと、
前記ディスプレイパネルに光を照射するバックライトユニットと、
を含み、
前記バックライトユニットは、請求項１乃至２５のいずれかに記載のバックライトユニットを用いる、ディスプレイ装置。
【手続補正２】
【補正対象書類名】明細書
【補正対象項目名】００７８
【補正方法】変更
【補正の内容】
【００７８】
図６を参照すると、光源グループ２１０Ａは、複数の光源２１２及び一つの回路基板２１４Ａを備える。具体的に、複数の光源グループ２４２Ａ、２４４Ａ及び２４６Ａは、単一の回路基板２１４Ａを備える。複数の光源２１２は、回路基板２１４Ａ上でローカルディミング単位別に区別でき、ローカルディミング単位別に分割駆動される。各ローカルディミング単位は、所定距離ｄ３だけ離隔すればよい。
【手続補正３】
【補正対象書類名】明細書
【補正対象項目名】００８８
【補正方法】変更
【補正の内容】
【００８８】
図８は、さらに他の実施例に係るバックライトユニットを、図２に示すＣから視た部分平面図である。光源グループ２４２Ｃ、２４４Ｃ及び２４６Ｃのそれぞれにおいて、隣接する光源２５４及び２５２間の距離が異なり、導光板４００の該当する部分Ａ３に複数の第２溝４４２、４４４及び４４６がさらに形成される以外は、図８に示すバックライトユニットは、図３に示すバックライトユニットと同様に構成される。
【手続補正４】
【補正対象書類名】明細書
【補正対象項目名】００９１
【補正方法】変更
【補正の内容】
【００９１】
図３乃至図７に示す各光源グループにおいて、複数の光源同士間の離隔距離に比べて、図８に示す各光源グループ２４２Ｃ、２４４Ｃまたは２４６Ｃにおける複数の光源２５４及び２５２間の離隔距離ｄ４がより大きい。
【手続補正５】
【補正対象書類名】明細書
【補正対象項目名】００９２
【補正方法】変更
【補正の内容】
【００９２】
この場合、光源グループ同士（２４２Ｃ及び２４４Ｃ）または（２４４Ｃ及び２４６Ｃ）間の領域と第２方向（ｘ）に重なる領域Ａ１またはＡ２に、第２溝４１２及び４１４が形成される他、光源グループ２４２Ｃ、２４４Ｃ及び２４６Ｃのそれぞれにおいて、複数の光源２５４及び２５２の間の領域と第２方向（ｘ）に重なる領域にも第２溝４４２、４４４及び４４６が形成される。
【手続補正６】
【補正対象書類名】図面
【補正対象項目名】図８
【補正方法】変更
【補正の内容】
【図８】
2013033709.tif 000001